(57)【要約】      （修正有）【課題】アスファルトルーフィングと融着したスレート瓦を簡便に取り外すことができるスレート瓦差替え工具を提供する。【解決手段】屋根の野地板上に載置された破損したスレート瓦を差し替えるための工具であって、破損したスレート瓦の端面に引っかかるひっかけ部４を先端に有する柱状体２と、柱状体２のひっかけ部４と反対側の端部に設置された円柱部１と、円柱部１に設置された取手部３と、を有する。【選択図】図１
0003195745.tif 000002
【実用新案登録請求の範囲】
【請求項１】
屋根の野地板上に載置された破損したスレート瓦を差し替えるための工具であって、
前記破損したスレート瓦の端面に引っかかるひっかけ部を先端に有する柱状体と、
前記柱状体の前記ひっかけ部と反対側の端部に設置された円柱部と、
前記円柱部に設置された取手部と、
を有することを特徴とするスレート瓦差替え工具。
【請求項２】
前記柱状体が、角柱状体であることを特徴とする請求項１記載のスレート瓦差替え工具。
【考案の詳細な説明】
【技術分野】
【０００１】
本考案は、スレート瓦をより簡便に差し替えることができるスレート瓦差替え工具に関する。
【背景技術】
【０００２】
近年、新築屋根にスレート瓦を使用したスレート屋根が多く採用されている。スレートとは、セメントを主原料とした建築材料を意味する。瓦と比較して軽量で施工しやすく、また収縮が少なく安価であるという特徴がある。一般的なスレート屋根の構造について、図３を参照しつつ以下に説明する。
【０００３】
図３（ａ）に示したように屋根１００の野地板４０の上面には防水紙であるアスファルトルーフィング４１が貼り付けられている。そして、図３（ｂ）に示したようにアスファルトルーフィング４１の上に複数のスレート瓦２０が固定用の屋根釘５を使って設置されている。屋根釘５は、スレート瓦２０の上側上部瓦との重なりから約６ｃｍ上側にほぼ一列に打ち込まれている。その結果、スレート瓦２０の屋根釘５が打ち込まれた箇所の下側（野地板側）部分（図３（ｂ）のＡ部）が、経年変化によりアスファルトルーフィング４１と融着する。そして、スレート瓦２０の一部が破損した場合には破損したスレート瓦を交換しなければならない。その交換したスレート瓦の交換手順を以下に説明する。
【０００４】
まず、図４（ａ）、（ｂ）に示したように破損したスレート瓦３０の下側に刃６０ａの部分が長く目の細かい金属用の鋸６０を挿入して、屋根釘５を切断する。図４（ｃ）は屋根釘５が切断された状態を示す。次に、破損したスレート瓦３０の端部を工具で掴んで引き出す。
【０００５】
なお、例えば特許文献１には、屋根材の口開き現象に対する修正作業が容易に、かつ正常な屋根材を破損することなく行える屋根施工用工具に関する技術が開示されている。
【先行技術文献】
【特許文献】
【０００６】
【特許文献１】特開２００３−１７６６０８号公報
【考案の概要】
【考案が解決しようとする課題】
【０００７】
しかし、上記した従来のスレート瓦の交換方法では、破損したスレート瓦３０の一部（Ａ部）がアスファルトルーフィング４１に融着しているため、破損したスレート瓦３０を引っ張り出す際に非常な困難を伴うという課題があった。
【０００８】
本発明は、上記課題を解決するためになされたものであり、アスファルトルーフィングと融着したスレート瓦を簡便に取り外すことができるスレート瓦差替え工具を提供することを目的とする。
【課題を解決するための手段】
【０００９】
本考案は上記の目的を達成するため、以下の構成を備えるものである。
【００１０】
（１）屋根の野地板上に載置された破損したスレート瓦を差し替えるための工具であって、
前記破損したスレート瓦の端面に引っかかるひっかけ部を先端に有する柱状体と、
前記柱状体の前記ひっかけ部と反対側の端部に設置された円柱部と、
前記円柱部に設置された取手部と、
を有することを特徴とするスレート瓦差替え工具。
【００１１】
（２）前記柱状体が、角柱状体であることを特徴とする前記（１）記載のスレート瓦差替え工具。
【考案の効果】
【００１２】
本考案によれば、アスファルトルーフィングと融着したスレート瓦を簡便に取り外すことができるスレート瓦差替え工具を提供することができる。
【図面の簡単な説明】
【００１３】
【図１】本考案のスレート瓦差替え工具の外観を示す図
【図２】本考案のスレート瓦差替え工具の使用方法を説明するための図
【図３】従来のスレート瓦を用いたスレート屋根の構成を示す図
【図４】従来の破損したスレート瓦の交換手順を説明するための図
【考案を実施するための形態】
【００１４】
以下、本考案を実施するための形態を、実施例により詳しく説明する。
【実施例】
【００１５】
図１は、本考案のスレート瓦差替え工具の外観を示す図である。スレート差替え工具１０は、長尺の柱状部２、円柱部１、ひっかけ部４及び取手部３から構成されている。柱状部２は角柱であることが好ましいが、丸棒であってもよい。先端のひっかけ部４は、破損したスレート瓦３０の上端部にひっかけられる。円柱部１は、その端部がハンマーで打ちつけられる。また、取手部３は、ひっかけ部４を回転させるためのものである。
【００１６】
次に、図２を参照しつつ本考案のスレート瓦差替え工具１０の使用方法について説明する。なお、以下では屋根釘５は既に説明した鋸６０を使用して切断されているものとする。
【００１７】
図２（ａ）は、スレート瓦差替え工具１０を破損したスレート瓦３０の上面に挿入した状態を示す図である。作業者は、スレート差替え工具１０を矢印Ａの方向に挿入する。この場合、スレート差替え工具１０のひっかけ部４は破損したスレート瓦３０の上面に寝かせた状態で挿入する。この状態のほうが上側のスレート瓦２０を大きく押し上げることがなく挿入しやすいからである。なお、スレート差替え工具１０を挿入しやすいように上側のスレート瓦２０を固定している屋根釘５の一部を切断しておく。そして、スレート瓦差替え工具１０のひっかけ部４が破損したスレート瓦３０の縁に到達したら、取手部３を矢印Ｂの方向に回転させる。その結果、ひっかけ部４が回転して破損したスレート瓦３０の縁に引っかかる状態になる。次に、作業者は、スレート瓦差替え工具１０の円柱部１を図２（ｂ）に示したようにハンマー５０で叩き、破損したスレート瓦３０を矢印Ｃの方向に強く引っ張る。このようにすることで、アスファルトルーフィング４１と融着した破損したスレート瓦３０を屋根１００から引き剥がすことができる。従来は、破損したスレート瓦３０を工具で引き出していたため容易に破損したスレート瓦を引き出すことはできなかった。
【００１８】
本考案のスレート瓦差替え工具によれば、アスファルトルーフィングと融着したスレート瓦を簡便に取り外すことができる。
【符号の説明】
【００１９】
１      円柱部
２      長尺柱状部
３      取手部
４      ひっかけ部
５      屋根釘
１０    スレート瓦差替え工具
２０    スレート瓦
３０    破損したスレート瓦
４０    野地板
４１    アスファルトルーフィング
５０    ハンマー
６０    鋸
６０ａ  鋸の刃
１００  屋根
【図１】
0003195745.tif 000003
【図２】
0003195745.tif 000004
【図３】
0003195745.tif 000005
【図４】
0003195745.tif 000006